【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
記録データが記録される情報記録媒体上の記録位置を示す記録位置情報が予め記録されている当該情報記録媒体であって、
一の前記記録位置情報に対応する前記情報記録媒体上の領域の長さに自然数を乗じて得られる長さを有する当該情報記録媒体上の領域が、前記記録データを構成する単位ブロックであって当該記録データの再生時における誤り訂正の単位となる単位ブロックと、当該記録データにおける各前記単位ブロック間を接続するためのリンキング情報と、が記録されるべき当該情報記録媒体上の領域に相当するように前記記録位置情報が記録されていることを特徴とする情報記録媒体。
【請求項２】
アドレス情報が予め記録されている情報記録媒体であって、
記録データに対する誤り訂正の単位となる単位ブロックを記録する単位ブロック領域と、当該記録データにおける各前記単位ブロック間を接続するためのリンキング領域と、を備え、
ｎを自然数、ＡＵを一の前記アドレス情報を記録するアドレス領域の長さ、ＥＢを一の前記単位ブロック領域の長さ、ＲＩを一の前記リンキング領域の長さとすると、
ｎ×ＡＵ＝ＥＢ＋ＲＩ
であることを特徴とする情報記録媒体。
【請求項３】
前記リンキング領域は、隣接する前記単位ブロックの全ての境界部に挿入されることを特徴とする請求項２に記載の情報記録媒体。
【請求項４】
前記単位ブロック領域には、それぞれ所定数のフレームが分割配置され、
前記リンキング領域には、所定数のフレームが配置されていることを特徴とする請求項２に記載の情報記録媒体。
【請求項５】
前記単位ブロックはＥＣＣブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項２に記載の情報記録媒体。
【請求項６】
前記リンキング領域は、３個以内のシンクフレームが配置されることを特徴とする請求項５に記載の情報記録媒体。
【請求項７】
前記ＥＣＣブロックは１６セクタから構成され、各セクタはそれぞれシンクコードが付加された２６個のシンクフレームから構成されることを特徴とする請求項５に記載の情報記録媒体。
【請求項８】
前記リンキング領域には、再生制御に必要な制御情報が記録されていることを特徴とする請求項２に記載の情報記録媒体。
【請求項９】
前記アドレス情報は、対応する前記アドレス領域内の記録トラックを蛇行させることにより記録されていることを特徴とする請求項２に記載の情報記録媒体。
【請求項１０】
請求項１乃至９のいずれか一項に記載の情報記録媒体に前記記録データを記録する情報記録装置であって、
前記単位ブロックからなる前記記録データを構成する記録データ構成手段と、
前記リンキング情報を生成するリンキングデータ生成手段と、
前記記録位置情報を前記情報記録媒体から検出する検出手段と、
前記検出された記録位置情報に基づき、一の前記記録位置情報に対応する前記情報記録媒体上の領域の長さに自然数を乗じて得られる長さを有する当該情報記録媒体上の領域が、前記単位ブロックと、前記リンキング情報と、が記録されるべき当該情報記録媒体上の領域に相当するように、前記単位ブロック及び前記リンキング情報を前記情報記録媒体に記録する記録手段と、
を備えることを特徴とする情報記録装置。
【請求項１１】
記録データの記録位置を示すアドレス情報が予め記録されている情報記録媒体に対して記録を行う情報記録装置であって、
入力データに対する誤り訂正の単位となる単位ブロック毎に、前記記録データを構成する記録データ構成手段と、
前記単位ブロック間の境界部に挿入するリンキング領域を構成する第１のリンキング情報と第２のリンキング情報を生成するリンキングデータ生成手段と、
前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御する記録制御手段と、
を備えることを特徴とする情報記録装置。
【請求項１２】
前記リンキング領域は、前記単位ブロック間の全ての境界部に挿入されることを特徴とする請求項１１に記載の情報記録装置。
【請求項１３】
前記単位ブロックはＥＣＣ（Error Control Code）ブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項１１に記載の情報記録装置。
【請求項１４】
前記リンキング領域には、３個以内のシンクフレームが配置されることを特徴とする請求項１３に記載の情報記録装置。
【請求項１５】
前記ＥＣＣブロックは１６セクタから構成され、各セクタはそれぞれシンクコードが付加された２６個のシンクフレームから構成されることを特徴とする請求項１３に記載の情報記録装置。
【請求項１６】
請求項１乃至９のいずれか一項に記載の情報記録媒体に前記記録データを記録する記録手段を備えることを特徴とする情報記録装置。
【請求項１７】
記録データの記録位置を示すアドレス情報が予め記録されている情報記録媒体に対して記録を行う情報記録方法であって、
入力データに対する誤り訂正の単位となる単位ブロック毎に、前記記録データを構成するステップと、
前記単位ブロック間の境界部に挿入するリンキング領域を構成する第１のリンキング情報と第２のリンキング情報を生成するステップと、
前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御するステップと、
を備えることを特徴とする情報記録方法。
【請求項１８】
前記リンキング領域は、前記単位ブロック間の全ての境界部に挿入されることを特徴とする請求項１７に記載の情報記録方法。
【請求項１９】
前記単位ブロックはＥＣＣブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項１７に記載の情報記録方法。
【請求項２０】
前記リンキング領域には、３個以内のシンクフレームが配置されることを特徴とする請求項１９に記載の情報記録方法。
【請求項２１】
前記ＥＣＣブロックは１６セクタから構成され、各セクタはそれぞれシンクコードが付加された２６個のシンクフレームから構成されることを特徴とする請求項１９に記載の情報記録方法。
【手続補正２】
【補正対象書類名】明細書
【補正対象項目名】発明の名称
【補正方法】変更
【補正の内容】
【発明の名称】情報記録媒体、情報記録装置及び情報記録方法
【手続補正３】
【補正対象書類名】明細書
【補正対象項目名】０００１
【補正方法】変更
【補正の内容】
【０００１】
【発明の属する技術分野】
本発明は、記録可能な情報記録媒体に対しリンキング領域を挿入してデータ記録を行う情報記録装置及び情報記録方法と、前記リンキング領域が設けられた情報記録媒体の技術分野に属するものである。
【手続補正４】
【補正対象書類名】明細書
【補正対象項目名】０００５
【補正方法】変更
【補正の内容】
【０００５】
【課題を解決するための手段】
上記課題を解決するために、請求項１に記載の発明は、記録データが記録される情報記録媒体上の記録位置を示す記録位置情報が予め記録されている当該情報記録媒体であって、一の前記記録位置情報に対応する前記情報記録媒体上の領域の長さに自然数を乗じて得られる長さを有する当該情報記録媒体上の領域が、前記記録データを構成する単位ブロックであって当該記録データの再生時における誤り訂正の単位となる単位ブロックと、当該記録データにおける各前記単位ブロック間を接続するためのリンキング情報と、が記録されるべき当該情報記録媒体上の領域に相当するように前記記録位置情報が記録されている。
【手続補正５】
【補正対象書類名】明細書
【補正対象項目名】０００６
【補正方法】変更
【補正の内容】
【０００６】
上記課題を解決するために、請求項２に記載の発明は、アドレス情報が予め記録されている情報記録媒体であって、記録データに対する誤り訂正の単位となる単位ブロックを記録する単位ブロック領域と、当該記録データにおける各前記単位ブロック間を接続するためのリンキング領域と、を備え、ｎを自然数、ＡＵを一の前記アドレス情報を記録するアドレス領域の長さ、ＥＢを一の前記単位ブロック領域の長さ、ＲＩを一の前記リンキング領域の長さとすると、ｎ×ＡＵ＝ＥＢ＋ＲＩであるように構成される。
【手続補正６】
【補正対象書類名】明細書
【補正対象項目名】０００７
【補正方法】変更
【補正の内容】
【０００７】
上記課題を解決するために、請求項１０に記載の発明は、請求項１乃至９のいずれか一項に記載の情報記録媒体に前記記録データを記録する情報記録装置であって、前記単位ブロックからなる前記記録データを構成する記録データ構成手段と、前記リンキング情報を生成するリンキングデータ生成手段と、前記記録位置情報を前記情報記録媒体から検出する検出手段と、前記検出された記録位置情報に基づき、一の前記記録位置情報に対応する前記情報記録媒体上の領域の長さに自然数を乗じて得られる長さを有する当該情報記録媒体上の領域が、前記単位ブロックと、前記リンキング情報と、が記録されるべき当該情報記録媒体上の領域に相当するように、前記単位ブロック及び前記リンキング情報を前記情報記録媒体に記録する記録手段と、を備える。
【手続補正７】
【補正対象書類名】明細書
【補正対象項目名】０００８
【補正方法】変更
【補正の内容】
【０００８】
上記課題を解決するために、請求項１１に記載の発明は、記録データの記録位置を示すアドレス情報が予め記録されている情報記録媒体に対して記録を行う情報記録装置であって、入力データに対する誤り訂正の単位となる単位ブロック毎に、前記記録データを構成する記録データ構成手段と、前記単位ブロック間の境界部に挿入するリンキング領域を構成する第１のリンキング情報と第２のリンキング情報を生成するリンキングデータ生成手段と、前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御する記録制御手段と、を備える。
【手続補正８】
【補正対象書類名】明細書
【補正対象項目名】０００９
【補正方法】変更
【補正の内容】
【０００９】
上記課題を解決するために、請求項１７に記載の発明は、記録データの記録位置を示すアドレス情報が予め記録されている情報記録媒体に対して記録を行う情報記録方法であって、入力データに対する誤り訂正の単位となる単位ブロック毎に、前記記録データを構成するステップと、前記単位ブロック間の境界部に挿入するリンキング領域を構成する第１のリンキング情報と第２のリンキング情報を生成するステップと、前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御するステップと、を備える。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００４４
【補正方法】削除
【補正の内容】
【手続補正４４】
【補正対象書類名】明細書
【補正対象項目名】００４５
【補正方法】削除
【補正の内容】
【手続補正４５】
【補正対象書類名】明細書
【補正対象項目名】００８９
【補正方法】変更
【補正の内容】
【００８９】
以上説明したように、本実施形態に係る情報記録再生装置によれば、リンキング領域をＥＣＣブロックに加えた領域を考慮して予めアドレス情報が記録されているディスク２への記録時において、各ＥＣＣブロックの境界部に、２シンクフレーム分のリンキング領域を挿入し、特別なパターンを有するシンクコードＳＹＸ、ＳＹＹを付加するとともに、ディスク再生時にシンクコードＳＹＸを検出してリンキング領域の位置を判別し、ＰＬＬ１４に対しリンキング領域でホールド状態とし、後続のデータ部分で新たに引き込み動作を行うように構成される。かかる構成により、ＥＣＣブロック内部にリンキング領域が形成されないので、エラー訂正能力の劣化が抑えられて記録データの信頼性を向上させることができ、また、ＥＣＣブロックの全体がデータ記録に使用できなくなることもない。そして、ＥＣＣブロックに比べ十分に小さいデータ部分をリンキング領域として用いるため、ディスク容量の無駄を少なくして当該ディスク容量の有効活用を図ることが可能となる。また、再生時には、シンクコードＳＸＹを検出することにより確実にリンキング領域の位置を判別でき、リンキング領域の位置を反映してＰＬＬ１４を適切に制御するので、安定なクロック抽出を行うなど再生データの信頼性を高めることができる。また、ＤＶＤ−Ｒ、ＤＶＤ−ＲＷなどの記録可能なディスクと、ＤＶＤ−ＲＯＭなどの再生専用のディスクとの互換性を確保することも可能であり利便性が高い。
【手続補正４６】
【補正対象書類名】明細書
【補正対象項目名】００９１
【補正方法】削除
【補正の内容】
【手続補正４７】
【補正対象書類名】明細書
【補正対象項目名】図面の簡単な説明
【補正方法】変更
【補正の内容】
【図面の簡単な説明】
【図１】  本実施形態に係る情報記録再生装置の概要構成を示すブロックである。
【図２】  ＤＶＤフォーマットにおけるＥＣＣブロックのデータ構成を示す図である。
【図３】  ＥＣＣブロックに含まれるセクタのデータ構成を示す図である。
【図４】  ディスク上で記録済みデータと追記データの境界部にリンキング領域が挿入された状態を示す図である。
【図５】  リンキング領域を含むデータ部分をディスクのデータ配列に従って表した図である。
【図６】  本実施形態に係るディスクの構成を示す図である。
【図７】  本実施形態に係る情報記録再生装置各部にて出力される信号のうち、リンキング領域付近の波形のパターンを示す図である。
【図８】  本実施形態の変形例のＤＶＤ−ＲＯＭにおいて、リンキング領域を含むデータ部分を図４と同様のデータ配列に従って表した図である。
【符号の説明】
１    情報記録再生装置
２    ディスク
５    ＥＣＣブロック構成部
６    リンキング領域挿入部
７    データ記録部
１０    光ピックアップ
１１    再生信号生成部
１２    ２値スライス部
１３    シンク検出部
１４、２３    ＰＬＬ
１５    ホールド信号発生部
１６    データ読取部
２０    ＣＰＵ
２１    メモリ
２２    ウォブル検出部
ＡＵ    アドレスユニット
ＴＲ    記録トラック